(57)【要約】【課題】どのようなデータ形式であっても再生装置で再生できるようにすることである。【解決手段】本発明に係る再生システム１００の再生装置１は、記録メディア３から読み込まれた記録データが再生可能であるか否かが判断され、再生可能ではないと判断されると、送受信部によりデータ形式変換情報がサーバ２に送信される。サーバ２からデータ形式変換プログラムが受信されると、当該データ形式変換プログラムに従って、読み込まれた記録データが再生装置１で再生不可能なデータ形式から再生装置１で再生可能なデータ形式に変換され、再生される。【選択図】  図１
2004208057.tif 000002
【特許請求の範囲】
【請求項１】
記録メディアの記録データを再生する再生装置とサーバとが通信装置及び通信ネットワークを介して接続された再生システムであって、
前記再生装置は、前記記録データが当該再生装置で再生可能か否かを判断する判断手段と、前記判断の結果再生不可能である場合に、前記記録データを再生可能なデータ形式に変換する変換プログラムの要求情報を前記サーバに送信する要求手段と、前記変換プログラムに従って前記記録データのデータ形式を当該再生装置で再生可能なデータ形式に変換する変換手段と、を備え、
前記サーバは、前記再生装置からの要求情報に応じて前記再生不可能な記録データに適合する前記変換プログラムを前記再生装置に提供する提供手段を備えたことを特徴とする再生システム。
【請求項２】
前記要求情報は、前記記録データのデータ形式を示す情報及び前記再生装置の機種情報を含み、
前記サーバは、各種再生装置の機種情報とその再生装置で再生可能なデータ形式情報とを対応付けて記憶する再生可能データ形式参照テーブルを備えたことを特徴とする請求項１に記載の再生システム。
【請求項３】
前記要求情報は、前記記録データの変換前のデータ形式と変換後のデータ形式を示す情報を含むことを特徴とする請求項１に記載の再生システム。
【請求項４】
前記記録メディアの記録データは、該記録データのデータ形式を規定するデータフォーマット部と記録データの内容を示す実情報部により構成され、
前記変換プログラムは、前記データフォーマット部を変換するためのプログラムであることを特徴とする請求項１〜３の何れか一項に記載の再生システム。
【請求項５】
前記再生装置の要求手段は、前記サーバに該再生装置の利用者識別情報を前記要求情報と併せて送信し、
前記サーバは、前記再生装置から送信された利用者識別情報に基づいて、前記再生装置の利用者への前記変換プログラムの提供に対する課金を行う課金処理手段を備えたことを特徴とする請求項１〜４の何れか一項に記載の再生システム。
【請求項６】
記録メディアの記録データを再生する再生装置とサーバとが通信装置及び通信ネットワークを介して接続された再生システムであって、
前記再生装置は、前記記録データが当該再生装置で再生可能か否かを判断する判断手段と、前記判断の結果再生不可能である場合に、前記記録データとともに再生可能なデータ形式への変換要求情報を前記サーバに送信する要求手段とを備え、
前記サーバは、前記再生装置からの変換要求情報に応じて前記記録データを前記再生装置で再生可能なデータ形式に変換する変換手段と、
前記変換された記録データを前記再生装置に提供する提供手段とを備えたことを特徴とする再生システム。
【請求項７】
前記変換要求情報は、前記再生装置の機種情報であり、
前記サーバは、各種再生装置の機種情報とその再生可能なデータ形式情報とを対応付けて記憶する再生可能データ形式参照テーブルを備えたことを特徴とする請求項６に記載の再生システム。
【請求項８】
前記変換要求情報は、前記再生装置で再生可能なデータ形式の情報であることを特徴とする請求項６に記載の再生システム。
【請求項９】
前記記録メディアの記録データは、該記録データのデータ形式を規定するデータフォーマット部と記録データの内容を示す実情報部により構成され、
前記サーバの変換手段は、前記データフォーマット部を変換することを特徴とする請求項６〜８の何れか一項に記載の再生システム。
【請求項１０】
前記再生装置の要求手段は、前記サーバに該再生装置の利用者識別情報を前記変換要求情報と併せて送信し、
前記サーバは、前記再生装置から送信された利用者識別情報に基づいて、前記再生装置の利用者への前記変換後の記録データの提供に対する課金を行う課金処理手段を備えたことを特徴とする請求項６〜９の何れか一項に記載の再生システム。
【請求項１１】
記録メディアの記録データを再生する再生装置とサーバとが通信ネットワークを介して接続された再生システムにおける通信方法であって、
前記再生装置において、再生不可能な前記記録データのデータ形式とこの記録データに応じた再生可能なデータ形式を示す情報又は前記記録データのデータ形式を示す情報と前記再生装置の機種情報を変換プログラム要求情報として前記サーバに送信する工程と、
前記サーバにおいて、前記再生装置からの変換プログラム要求情報に応じて、前記記録データを前記再生装置で再生可能なデータ形式に変換するための変換プログラムを前記再生装置に送信する工程と、
を含むことを特徴とする通信方法。
【請求項１２】
記録メディアの記録データを再生する再生装置とサーバとが通信ネットワークを介して接続された再生システムにおける通信方法であって、
前記再生装置において、前記記録データと、前記再生装置の機種情報又は前記再生装置で再生可能なデータ形式を示す情報とを変換要求情報として前記サーバに送信する工程と、
前記サーバにおいて、前記再生装置からの変換要求情報に応じて、前記記録データを前記再生装置で再生可能なデータ形式のデータに変換して前記再生装置に送信する工程と、
を含むことを特徴とする通信方法。
【請求項１３】
記録メディアの記録データを再生する再生装置と通信装置及び通信ネットワークを介して接続されたサーバであって、
前記再生装置から前記記録データを前記再生装置で再生可能なデータ形式に変換する変換プログラムの要求情報を受信し、該要求情報に応じて前記記録データに適合する変換プログラムを前記再生装置に提供する提供手段を備えたことを特徴とするサーバ。
【請求項１４】
前記要求情報は、前記記録データのデータ形式を示す情報及び前記再生装置の機種情報を含み、
各種再生装置の機種情報とその再生装置で再生可能なデータ形式情報とを対応付けて記憶する再生可能データ形式参照テーブルを備えたことを特徴とする請求項１３記載のサーバ。
【請求項１５】
前記要求情報は、前記記録データの変換前のデータ形式と変換後のデータ形式を示す情報であることを特徴とする請求項１３に記載のサーバ。
【請求項１６】
記録メディアの記録データを再生する再生装置と通信装置及び通信ネットワークを介して接続されたサーバであって、
前記再生装置から前記記録データ及び前記再生装置で再生可能なデータ形式への変換要求情報を受信して、該変換要求情報に応じて前記記録データを前記再生装置で再生可能なデータ形式に変換する変換手段と、
前記変換された記録データを前記再生装置に提供する提供手段と、
を備えたことを特徴とするサーバ。
【請求項１７】
前記変換要求情報は、前記再生装置の機種情報であり、
各種再生装置の機種情報とその再生装置で再生可能なデータ形式情報とを対応付けて記憶する再生可能データ形式参照テーブルを備えたことを特徴とする請求項１６に記載のサーバ。
【請求項１８】
前記変換要求情報は、前記再生装置で再生可能なデータ形式を示す情報であることを特徴とする請求項１６に記載のサーバ。
【請求項１９】
通信装置及び通信ネットワークを介してサーバに接続され、記録メディアの記録データを再生する再生装置において、
前記記録データが当該再生装置で再生可能か否かを判断する判断手段と、
前記判断の結果再生不可能である場合に、前記記録データを前記再生装置で再生可能なデータ形式に変換するための変換プログラムの要求情報を前記サーバに送信する要求手段と、
前記サーバから送信された変換プログラムを受信して、該変換プログラムに従って前記記録データのデータ形式を当該再生装置で再生可能なデータ形式に変換する変換手段とを備えたことを特徴とする再生装置。
【請求項２０】
前記要求情報は、前記記録データのデータ形式を示す情報及び前記再生装置の機種情報であることを特徴とする請求項１９に記載の再生装置。
【請求項２１】
前記要求情報は、前記記録データの変換前のデータ形式と変換後のデータ形式を示す情報であることを特徴とする請求項１９に記載の再生装置。
【請求項２２】
通信装置及び通信ネットワークを介してサーバに接続され、記録メディアの記録データを再生する再生装置において、
前記記録データが当該再生装置で再生可能か否かを判断する判断手段と、
前記判断の結果再生不可能である場合に、前記記録データ及び再生可能なデータ形式への変換要求情報を前記サーバに送信する要求手段とを備え、
前記サーバから変換後の記録データを前記通信装置により受信することを特徴とする再生装置。
【請求項２３】
前記変換要求情報は、前記再生装置の機種情報であることを特徴とする請求項２２に記載の再生装置。
【請求項２４】
前記変換要求情報は、前記再生装置で再生可能なデータ形式を示す情報であることを特徴とする請求項２２に記載の再生装置。
【請求項２５】
通信装置及び通信ネットワークを介してサーバに接続され、記録メディアに記録されている記録データを再生する再生装置を制御するためのコンピュータに、
前記記録メディアに記録されている記録データが再生可能であるか否かを判断する機能と、
前記判断の結果再生不可能である場合に、前記記録データを前記再生装置で再生可能なデータに変換する変換プログラムの要求情報を前記サーバに送信する機能と、
前記サーバから送信された変換プログラムを受信して、該変換プログラムに従って前記記録データを前記再生装置で再生可能なデータ形式に変換する機能と、
を実現させるためのプログラム。
【請求項２６】
前記要求情報は、前記記録データのデータ形式を示す情報及び前記再生装置の機種情報であることを特徴とする請求項２５に記載のプログラム。
【請求項２７】
前記要求情報は、前記記録データの変換前のデータ形式と変換後のデータ形式を示す情報であることを特徴とする請求項２５に記載のプログラム。
【請求項２８】
通信装置及び通信ネットワークを介してサーバに接続され、記録メディアに記録されている記録データを再生する再生装置を制御するためのコンピュータに、
前記記録データが再生可能であるか否かを判断する機能と、
前記判断の結果再生不可能な場合に、前記記録データ及び再生可能なデータ形式への変換要求情報を前記サーバに送信する機能と、
前記サーバから変換後の記録データを受信する機能と、を実現させるためのプログラム。
【請求項２９】
前記変換要求情報は、前記再生装置の機種情報であることを特徴とする請求項２８に記載のプログラム。
【請求項３０】
前記変換要求情報は、前記再生装置で再生可能なデータ形式を示す情報であることを特徴とする請求項２８に記載のプログラム。
【請求項３１】
請求項２５〜３０の何れか一項に記載のプログラムを記録データとともに記録した記録メディア。
【請求項３２】
前記請求項２５〜３０の何れか一項に記載のプログラムは再生に用いる記録データの記録領域とは別の複数の領域に記録されていることを特徴とする請求項３１に記載の記録メディア。
【請求項３３】
請求項２５〜３０の何れか一項に記載のプログラムを記録メディアに記録する記録部を備えたことを特徴とする記録装置。
【請求項３４】
請求項３３に記載の記録装置を備えたことを特徴とする請求項１又は６に記載の再生システム。
【請求項３５】
記録メディアに記録された記録データを再生する再生装置において、
前記記録データのデータ形式を変換するための変換プログラムが記録された、前記記録メディアとは別体のデータ変換メモリが着脱自在に構成され、
前記記録データが再生可能であるか否かを判断する判断手段と、
前記判断の結果再生不可能である場合に、前記データ変換メモリから前記記録データのデータ形式に応じた変換プログラムを読み出して前記記録データを前記再生装置で再生可能なデータ形式に変換する変換手段と、を備えたことを特徴とする再生装置。
【請求項３６】
記録メディアに記録された記録データを再生する再生装置がインターフェースを介してデータ変換装置に接続された再生システムであって、
前記再生装置は、前記記録データが再生可能であるか否かを判断する判断手段と、前記判断の結果再生不可能である場合に、前記記録データ及び再生可能なデータ形式への変換要求情報を前記データ変換装置に送信する要求手段とを備え、
前記データ変換装置は、前記再生装置からの変換要求情報に応じて、前記記録データを前記再生装置で再生可能なデータ形式に変換する変換手段と、前記変換後の記録データを前記再生装置に提供する提供手段とを備えたことを特徴とする再生システム。
【請求項３７】
前記変換要求情報は、前記再生装置の機種情報であり、
前記データ変換装置は、前記再生装置の機種情報と再生可能なデータ形式情報とを対応付けて記憶する再生可能データ形式参照テーブルを備えたことを特徴とする請求項３６に記載の再生システム。
【請求項３８】
前記変換要求情報は、前記再生装置で再生可能なデータ形式を示す情報であることを特徴とする請求項３６に記載の再生システム。
【発明の詳細な説明】
【０００１】
【発明の属する技術分野】
本発明は、種々異なる形式のデータを再生可能なデータフォーマットに変換して再生する再生システム、該再生システムで用いられるサーバ、再生装置、記録メディア、プログラム、記録装置及び通信方法に関する。
【０００２】
【従来の技術】
従来、再生装置においては、装置の機種によって再生可能なデータの形式が異なる。そのため、取得したデータを所有している再生装置では再生できない場合があり、不便であった。そこで、特許文献１においては、シナリオデータを蓄積したシナリオサーバが端末装置からシナリオデータの送信要求を受信した際に、シナリオデータをメディア変換プロキシサーバにおいて端末装置で再生可能なデータ形式に変換してデータを送信する技術が開示されている。
【０００３】
【特許文献１】
特開２００２−２９７４９５号公報
【０００４】
【発明が解決しようとする課題】
上述した技術においては、送信しようとするデータを受信側の装置の機種に応じたデータに変換して送信することができるので、受信側ではデータを再生することができる。しかしながら、再生装置で記録メディアに記録されているデータを再生する場合や、特許文献１に開示されているような技術をもたない送信元からデータを受信して再生する場合においては、依然としてデータの形式によっては再生できない場合があり、せっかく入手したデータが利用できないといった問題点があった。
【０００５】
本発明の課題は、どのようなデータ形式であっても再生装置で再生できるようにすることである。
【０００６】
【課題を解決するための手段】
上記課題を解決するため、請求項１に記載の発明は、
記録メディアの記録データを再生する再生装置とサーバとが通信装置及び通信ネットワークを介して接続された再生システムであって、
前記再生装置は、前記記録データが当該再生装置で再生可能か否かを判断する判断手段と、前記判断の結果再生不可能である場合に、前記記録データを再生可能なデータ形式に変換する変換プログラムの要求情報を前記サーバに送信する要求手段と、前記変換プログラムに従って前記記録データのデータ形式を当該再生装置で再生可能なデータ形式に変換する変換手段と、を備え、
前記サーバは、前記再生装置からの要求情報に応じて前記再生不可能な記録データに適合する前記変換プログラムを前記再生装置に提供する提供手段を備えたことを特徴としている。
【０００７】
請求項２に記載の発明は、請求項１に記載の発明において、
前記要求情報は、前記記録データのデータ形式を示す情報及び前記再生装置の機種情報を含み、
前記サーバは、各種再生装置の機種情報とその再生装置で再生可能なデータ形式情報とを対応付けて記憶する再生可能データ形式参照テーブルを備えたことを特徴としている。
【０００８】
請求項３に記載の発明は、請求項１に記載の発明において、
前記要求情報は、前記記録データの変換前のデータ形式と変換後のデータ形式を示す情報を含むことを特徴としている。
【０００９】
請求項４に記載の発明は、請求項１〜３の何れか一項に記載の発明において、
前記記録メディアの記録データは、該記録データのデータ形式を規定するデータフォーマット部と記録データの内容を示す実情報部により構成され、
前記変換プログラムは、前記データフォーマット部を変換するためのプログラムであることを特徴としている。
【００１０】
請求項５に記載の発明は、請求項１〜４の何れか一項に記載の発明において、
前記再生装置の要求手段は、前記サーバに該再生装置の利用者識別情報を前記要求情報と併せて送信し、
前記サーバは、前記再生装置から送信された利用者識別情報に基づいて、前記再生装置の利用者への前記変換プログラムの提供に対する課金を行う課金処理手段を備えたことを特徴としている。
【００１１】
請求項６に記載の発明は、
記録メディアの記録データを再生する再生装置とサーバとが通信装置及び通信ネットワークを介して接続された再生システムであって、
前記再生装置は、前記記録データが当該再生装置で再生可能か否かを判断する判断手段と、前記判断の結果再生不可能である場合に、前記記録データとともに再生可能なデータ形式への変換要求情報を前記サーバに送信する要求手段とを備え、
前記サーバは、前記再生装置からの変換要求情報に応じて前記記録データを前記再生装置で再生可能なデータ形式に変換する変換手段と、
前記変換された記録データを前記再生装置に提供する提供手段とを備えたことを特徴としている。
【００１２】
請求項７に記載の発明は、請求項６に記載の発明において、
前記変換要求情報は、前記再生装置の機種情報であり、
前記サーバは、各種再生装置の機種情報とその再生可能なデータ形式情報とを対応付けて記憶する再生可能データ形式参照テーブルを備えたことを特徴としている。
【００１３】
請求項８に記載の発明は、請求項６に記載の発明において、
前記変換要求情報は、前記再生装置で再生可能なデータ形式の情報であることを特徴としている。
【００１４】
請求項９に記載の発明は、請求項６〜８の何れか一項に記載の発明において、
前記記録メディアの記録データは、該記録データのデータ形式を規定するデータフォーマット部と記録データの内容を示す実情報部により構成され、
前記サーバの変換手段は、前記データフォーマット部を変換することを特徴としている。
【００１５】
請求項１０に記載の発明は、請求項６〜９の何れか一項に記載の発明において、
前記再生装置の要求手段は、前記サーバに該再生装置の利用者識別情報を前記変換要求情報と併せて送信し、
前記サーバは、前記再生装置から送信された利用者識別情報に基づいて、前記再生装置の利用者への前記変換後の記録データの提供に対する課金を行う課金処理手段を備えたことを特徴としている。
【００１６】
請求項１１に記載の発明は、
記録メディアの記録データを再生する再生装置とサーバとが通信ネットワークを介して接続された再生システムにおける通信方法であって、
前記再生装置において、再生不可能な前記記録データのデータ形式とこの記録データに応じた再生可能なデータ形式を示す情報又は前記記録データのデータ形式を示す情報と前記再生装置の機種情報を変換プログラム要求情報として前記サーバに送信する工程と、
前記サーバにおいて、前記再生装置からの変換プログラム要求情報に応じて、前記記録データを前記再生装置で再生可能なデータ形式に変換するための変換プログラムを前記再生装置に送信する工程と、
を含むことを特徴としている。
【００１７】
請求項１２に記載の発明は、
記録メディアの記録データを再生する再生装置とサーバとが通信ネットワークを介して接続された再生システムにおける通信方法であって、
前記再生装置において、前記記録データと、前記再生装置の機種情報又は前記再生装置で再生可能なデータ形式を示す情報とを変換要求情報として前記サーバに送信する工程と、
前記サーバにおいて、前記再生装置からの変換要求情報に応じて、前記記録データを前記再生装置で再生可能なデータ形式のデータに変換して前記再生装置に送信する工程と、
を含むことを特徴としている。
【００１８】
請求項１３に記載の発明は、
記録メディアの記録データを再生する再生装置と通信装置及び通信ネットワークを介して接続されたサーバであって、
前記再生装置から前記記録データを前記再生装置で再生可能なデータ形式に変換する変換プログラムの要求情報を受信し、該要求情報に応じて前記記録データに適合する変換プログラムを前記再生装置に提供する提供手段を備えたことを特徴としている。
【００１９】
請求項１４に記載の発明は、請求項１３に記載の発明において、
前記要求情報は、前記記録データのデータ形式を示す情報及び前記再生装置の機種情報を含み、
各種再生装置の機種情報とその再生装置で再生可能なデータ形式情報とを対応付けて記憶する再生可能データ形式参照テーブルを備えたことを特徴としている。
【００２０】
請求項１５に記載の発明は、請求項１３に記載の発明において、
前記要求情報は、前記記録データの変換前のデータ形式と変換後のデータ形式を示す情報であることを特徴としている。
【００２１】
請求項１６に記載の発明は、
記録メディアの記録データを再生する再生装置と通信装置及び通信ネットワークを介して接続されたサーバであって、
前記再生装置から前記記録データ及び前記再生装置で再生可能なデータ形式への変換要求情報を受信して、該変換要求情報に応じて前記記録データを前記再生装置で再生可能なデータ形式に変換する変換手段と、
前記変換された記録データを前記再生装置に提供する提供手段と、
を備えたことを特徴としている。
【００２２】
請求項１７に記載の発明は、請求項１６に記載の発明において、
前記変換要求情報は、前記再生装置の機種情報であり、
各種再生装置の機種情報とその再生装置で再生可能なデータ形式情報とを対応付けて記憶する再生可能データ形式参照テーブルを備えたことを特徴としている。
【００２３】
請求項１８に記載の発明は、請求項１６に記載の発明において、
前記変換要求情報は、前記再生装置で再生可能なデータ形式を示す情報であることを特徴としている。
【００２４】
請求項１９に記載の発明は、
通信装置及び通信ネットワークを介してサーバに接続され、記録メディアの記録データを再生する再生装置において、
前記記録データが当該再生装置で再生可能か否かを判断する判断手段と、
前記判断の結果再生不可能である場合に、前記記録データを前記再生装置で再生可能なデータ形式に変換するための変換プログラムの要求情報を前記サーバに送信する要求手段と、
前記サーバから送信された変換プログラムを受信して、該変換プログラムに従って前記記録データのデータ形式を当該再生装置で再生可能なデータ形式に変換する変換手段とを備えたことを特徴としている。
【００２５】
請求項２０に記載の発明は、請求項１９に記載の発明において、
前記要求情報は、前記記録データのデータ形式を示す情報及び前記再生装置の機種情報であることを特徴としている。
【００２６】
請求項２１に記載の発明は、請求項１９に記載の発明において、
前記要求情報は、前記記録データの変換前のデータ形式と変換後のデータ形式を示す情報であることを特徴としている。
【００２７】
請求項２２に記載の発明は、
通信装置及び通信ネットワークを介してサーバに接続され、記録メディアの記録データを再生する再生装置において、
前記記録データが当該再生装置で再生可能か否かを判断する判断手段と、
前記判断の結果再生不可能である場合に、前記記録データ及び再生可能なデータ形式への変換要求情報を前記サーバに送信する要求手段とを備え、
前記サーバから変換後の記録データを前記通信装置により受信することを特徴としている。
【００２８】
請求項２３に記載の発明は、請求項２２に記載の発明において、
前記変換要求情報は、前記再生装置の機種情報であることを特徴としている。
【００２９】
請求項２４に記載の発明は、請求項２２に記載の発明において、
前記変換要求情報は、前記再生装置で再生可能なデータ形式を示す情報であることを特徴としている。
【００３０】
請求項２５に記載の発明は、
通信装置及び通信ネットワークを介してサーバに接続され、記録メディアに記録されている記録データを再生する再生装置を制御するためのコンピュータに、前記記録メディアに記録されている記録データが再生可能であるか否かを判断する機能と、
前記判断の結果再生不可能である場合に、前記記録データを前記再生装置で再生可能なデータに変換する変換プログラムの要求情報を前記サーバに送信する機能と、
前記サーバから送信された変換プログラムを受信して、該変換プログラムに従って前記記録データを前記再生装置で再生可能なデータ形式に変換する機能と、
を実現させるためのプログラムであることを特徴としている。
【００３１】
請求項２６に記載の発明は、請求項２５に記載の発明において、
前記要求情報は、前記記録データのデータ形式を示す情報及び前記再生装置の機種情報であることを特徴としている。
【００３２】
請求項２７に記載の発明は、請求項２５に記載の発明において、
前記要求情報は、前記記録データの変換前のデータ形式と変換後のデータ形式を示す情報であることを特徴としている。
【００３３】
請求項２８に記載の発明は、
通信装置及び通信ネットワークを介してサーバに接続され、記録メディアに記録されている記録データを再生する再生装置を制御するためのコンピュータに、
前記記録データが再生可能であるか否かを判断する機能と、
前記判断の結果再生不可能な場合に、前記記録データ及び再生可能なデータ形式への変換要求情報を前記サーバに送信する機能と、
前記サーバから変換後の記録データを受信する機能と、
を実現させるためのプログラムであることを特徴としている。
【００３４】
請求項２９に記載の発明は、請求項２８に記載の発明において、
前記変換要求情報は、前記再生装置の機種情報であることを特徴としている。
【００３５】
請求項３０に記載の発明は、請求項２８に記載の発明において、
前記変換要求情報は、前記再生装置で再生可能なデータ形式を示す情報であることを特徴としている。
【００３６】
請求項３１に記載の発明の記録メディアは、
請求項２５〜３０の何れか一項に記載のプログラムを記録データとともに記録したことを特徴としている。
【００３７】
請求項３２に記載の発明は、請求項３１に記載の発明において、
前記請求項２５〜３０の何れか一項に記載のプログラムは再生に用いる記録データの記録領域とは別の複数の領域に記録されていることを特徴としている。
【００３８】
請求項３３に記載の発明の記録装置は、
請求項２５〜３０の何れか一項に記載のプログラムを記録メディアに記録する記録部を備えたことを特徴としている。
【００３９】
請求項３４に記載の発明は、請求項１又は６に記載の発明において、
請求項３３に記載の記録装置を備えたことを特徴としている。
【００４０】
請求項３５に記載の発明は、
記録メディアに記録された記録データを再生する再生装置において、
前記記録データのデータ形式を変換するための変換プログラムが記録された、前記記録メディアとは別体のデータ変換メモリが着脱自在に構成され、
前記記録データが再生可能であるか否かを判断する判断手段と、
前記判断の結果再生不可能である場合に、前記データ変換メモリから前記記録データのデータ形式に応じた変換プログラムを読み出して前記記録データを前記再生装置で再生可能なデータ形式に変換する変換手段と、を備えたことを特徴としている。
【００４１】
請求項３６に記載の発明は、
記録メディアに記録された記録データを再生する再生装置がインターフェースを介してデータ変換装置に接続された再生システムであって、
前記再生装置は、前記記録データが再生可能であるか否かを判断する判断手段と、前記判断の結果再生不可能である場合に、前記記録データ及び再生可能なデータ形式への変換要求情報を前記データ変換装置に送信する要求手段とを備え、
前記データ変換装置は、前記再生装置からの変換要求情報に応じて、前記記録データを前記再生装置で再生可能なデータ形式に変換する変換手段と、前記変換後の記録データを前記再生装置に提供する提供手段とを備えたことを特徴としている。
【００４２】
請求項３７に記載の発明は、請求項３６に記載の発明において、
前記変換要求情報は、前記再生装置の機種情報であり、
前記データ変換装置は、前記再生装置の機種情報と再生可能なデータ形式情報とを対応付けて記憶する再生可能データ形式参照テーブルを備えたことを特徴としている。
【００４３】
請求項３８に記載の発明は、請求項３６に記載の発明において、
前記変換要求情報は、前記再生装置で再生可能なデータ形式を示す情報であることを特徴としている。
【００４４】
請求項１〜３８に記載の発明によれば、再生装置で再生不可能な記録メディアの記録データを再生可能なデータ形式に変換するための再生システム、この再生システムで用いるサーバ、再生装置、プログラム、記録メディア、記録装置を提供するので、再生装置において、どのようなデータ形式の記録データであっても再生することが可能となる。
【００４５】
【発明の実施の形態】
以下、図を参照して、本発明の第１〜８の実施の形態を説明する。
なお、第１〜８の各実施の形態において、本発明の請求項に記載の通信装置は、再生装置１の送受信部１１９及びサーバ２の送受信部２１４である。また、再生装置の判断手段、要求手段、変換手段は、再生装置１のＣＰＵ１１１と記憶部１１７に記憶されたプログラムや記録メディア３に記録されたプログラムとの協働によるソフトウエア処理によって実現される。その具体的な例は各実施の形態において説明する。
【００４６】
また、第１〜８の各実施の形態において、本発明の請求項に記載のサーバにおける提供手段、変換手段、課金処理手段は、サーバ２のＣＰＵ２１１と記憶部２１３に記憶されたプログラムとの協働によるソフトウエア処理によって実現される。その具体的な例は各実施の形態において説明する。
【００４７】
また、第１〜８の各実施の形態において、本発明の請求項に記載のデータ変換装置の変換手段、提供手段は、データ変換装置６のＣＰＵ６１１と記憶部６１３に記憶されたプログラムとの協働によるソフトウエア処理によって実現される。その具体的な例は各実施の形態において説明する。
【００４８】
〔第１の実施の形態〕
図１に、第１の実施の形態における再生システム１００の全体構成例を示す。図１に示すように、再生システム１００は、記録メディア３が装着可能な再生装置１とサーバ２とがネットワークＮを介して接続され、データの送受信が可能なように構成されている。なお、再生装置１、サーバ２の数は特に限定されない。
【００４９】
再生装置１は、装着された記録メディア３に記録された画像データ、動画データ、音楽データ、文字データ等のデータを再生する装置であり、例えば、ＤＶＤ（Digital Versatile Disc）プレーヤ、オーディオプレーヤー、ゲーム機等である。
【００５０】
サーバ２は、データ形式を変換するためのプログラムを管理するサーバであり、ネットワークＮを介して再生装置１からデータ形式変換情報、即ち変換前のデータ形式と変換後のデータ形式を受信すると、変換前のデータ形式から変換後のデータ形式へ変換するためのデータ形式変換プログラムを読み出して、再生装置１に送信する。
【００５１】
記録メディア３は、例えば、ＣＤ−Ｒ（CD-Recordable）、メモリカード等のデータの読出し、書込みが可能な記録媒体であり、再生するための各種データやそのデータ形式情報が記録されている。本実施の形態において、記録メディア３はＣＤ−Ｒとして説明する。
【００５２】
ネットワークＮは、専用線や既存の一般公衆回線を利用して構築された通信ネットワークであり、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。但し、情報管理の信頼性の観点から、特定のユーザのみがアクセス可能なセキュリティを確保しているネットワークであることが望ましい。再生装置１、サーバ２間は有線接続であっても無線接続であってもよい。
【００５３】
次に、図２を参照して再生装置１の内部構成について説明する。
図２に示すように、再生装置１は、ＣＰＵ（Central Processing Unit）１１１、操作部１１２、表示部１１３、記録メディア読込部１１４、音声出力部１１５、ＲＡＭ（Random Access Memory）１１６、記憶部１１７、バッファメモリ１１８、送受信部１１９により構成され、各部はバス１２０により接続されている。
【００５４】
ＣＰＵ１１１は、操作部１１２からのキー操作により、記憶部１１７に格納されているシステムプログラムや各種処理プログラムを読み出し、ＲＡＭ１１６内のプログラム格納領域に展開し、展開したプログラムに従って再生装置１の各部の動作を集中制御して再生を行う。
【００５５】
例えば、ＣＰＵ１１１は、操作部１１２からの操作により、記録メディア読込部１１４の図示しないメディア装填部に装填された記録メディア３の再生が指示されると、後述する再生処理Ａを実行し、記録メディア３に記録された記録データの読み込みを開始して当該記録データの再生が可能であるか否かを判断し、可能であると判断すると、記録データに基づいて表示部１１３又は／及び音声出力部１１５により再生を開始する。一方、当該記録データの再生が不可であると判断すると、記録データのデータ形式を取得し、送受信部１１９を介してサーバ２にデータ形式変換情報（変換前のデータ形式及び変換後のデータ形式の情報）を送信し、再生装置１で再生可能なデータ形式への変換プログラムの送信要求を行う。サーバ２からデータ形式変換プログラムを受信すると、ＣＰＵ１１１は、受信した変換プログラムをＲＡＭ１１６に展開し、当該変換プログラムに従って記録メディア３に記録された記録データの形式変換を行い、変換後データに基づいて表示部１１３又は／及び音声出力部１１５により再生を行う。
【００５６】
操作部１１２は、ＥＪＥＣＴキー、パワーキー、再生キー、テンキー、ＳＫＩＰ  ＵＰ／ＤＯＷＮキー、停止キー、モード設定キー等の各種機能キー及び機能ボタンを備え、キー操作、ボタン操作による操作信号をＣＰＵ１１１へ出力する。
【００５７】
表示部１１３は、ＬＣＤ（Liquid Crystal Display）やＣＲＴ（Cathode Ray Tube）等により構成され、ＣＰＵ１１１から入力される表示信号の指示に従って、記録メディア読込部１１４から読み込まれた画像データ、動画データや各種情報等を表示させる。
【００５８】
記録メディア読込部１１４は、図示しないメディア装填部、光ピックアップ、ＤＳＰ、スピンドルモータ、送りモータ等により構成され、ＣＰＵ１１１から入力される制御信号により、メディア装填部に装填されたＤＶＤ、ＣＤ−Ｒ等の記録メディア上の記録データを読み込んでＣＰＵ１１１に出力する。
【００５９】
音声出力部１１５は、Ｄ／Ａ変換器、アンプ、スピーカ等により構成され、記録メディア読込部１１４から読み込まれた音声データ、音楽データをアナログ信号に変換して増幅し、外部に出力する。
【００６０】
ＲＡＭ１１６は、ＣＰＵ１１１により実行制御される各種処理において、記憶部１１７から読み出された再生装置１上で実行可能なシステムプログラム、制御プログラム、入力若しくは出力データ、及びパラメータ等の一時的な格納領域を形成する。
【００６１】
記憶部１１７は、不揮発性の半導体メモリにより構成され、再生装置１に対応するシステムプログラム、当該システムプログラムに対応する再生処理Ａを始めとする各種処理プログラム、及び処理結果等を記憶する。これらの各種プログラムは、読取可能なプログラムコードの形態で格納され、ＣＰＵ１１１は、当該プログラムコードに従った動作を逐次実行する。
【００６２】
バッファメモリ１１８は、ＤＲＡＭ（Dynamic Random Access Memory）等により構成され、サーバ２から受信したプログラムや、再生処理Ａにより変換された変換後データを一時的に記憶する。
【００６３】
送受信部１１９は、モデム、ＬＡＮアダプタやルータやＴＡ（Terminal Adapter）等によって構成され、専用線、或いはＩＳＤＮ回線等の通信回線を介してネットワークＮに接続されたサーバ２を始めとする各装置との間でデータの送受信を行う。
【００６４】
次に、図３を参照してサーバ２の内部構成について説明する。
図３に、管理サーバ２の構成例を示す。図３に示すように、管理サーバ２は、ＣＰＵ２１１、ＲＡＭ２１２、記録媒体２１３ａを有する記憶部２１３、送受信部２１４等により構成され、記録媒体２１３ａを除く各部は、バス２１５により接続されている。
【００６５】
ＣＰＵ２１１は、記憶部２１３に記憶されているシステムプログラムを読み出し、該システムプログラムに従って各部の動作を集中制御する。また、ＣＰＵ２１１は、読み出したシステムプログラムに従って、各種処理を実行する。
【００６６】
例えば、ＣＰＵ２１１は、送受信部２１４を介して再生装置１からデータ形式変換情報を受信すると、記録媒体２１３ａのデータ形式変換プログラム格納部２１３１からデータ形式変換情報に応じたデータ形式変換プログラムを読み出して、送受信部２１４を介して再生装置１へ送信する。
【００６７】
ＲＡＭ２１２は、ＣＰＵ２１１により実行制御される各種処理において、記憶部２１３から読み出された管理サーバ２で実行可能なシステムプログラム、制御プログラム、入力若しくは出力データ、及びパラメータ等の一時的な格納領域となる。
【００６８】
記憶部２１３は、ＨＤＤ（Hard Disc Drive）や不揮発性の半導体メモリ等により構成され、サーバ２に対応するシステムプログラム、及び該システムプログラム上で実行可能な各種処理プログラム、及びこれらのプログラムで処理されたデータ等を記憶する。また、記憶部２１３は、着脱自在に装着された記憶媒体２１３ａを有し、この記憶媒体２１３ａは、磁気的または光学的記録媒体、若しくは半導体等の不揮発性メモリで構成されている。プログラムは、コンピュータが読み取り可能なプログラムコードの形態で格納され、ＣＰＵ２１１は、当該プログラムコードに従った動作を逐次実行する。
【００６９】
本実施の形態において、記録媒体２１３ａは、内部にデータ形式変換プログラム格納部２１３１を有して構成される。データ形式変換プログラム格納部２１３１には、例えばデータ形式１→データ形式２変換プログラム、データ形式１→データ形式３変換プログラムのように、変換が可能な各種データ形式間の変換プログラムが記憶されている。
【００７０】
送受信部２１４は、モデム、ＴＡやルータ等によって構成され、ネットワークＮに接続された再生装置１を始めとする各装置とのデータの送受信を行う。
【００７１】
次に、動作について説明する。
図４に、記録メディア３がメディア装填部に装填され、操作部１１２から記録メディア３の再生が指示された際にＣＰＵ１１１の制御により実行される再生処理Ａ及び再生処理Ａにおいて再生装置１とサーバ２との間で実行される通信手順を示す。
【００７２】
再生処理Ａにおいて、記録メディア読込部１１４により記録メディア３上の記録データの読み込みが開始されると（ステップＳ１）、判断手段としてのステップＳ２において、読み込まれた記録データが再生可能であるか否かが判断される。当該記録データが再生可能であると判断されると（ステップＳ２；可）、通常の再生が開始される（ステップＳ３）。ステップＳ２において、当該記録データが再生可能ではないと判断されると（ステップＳ２；不可）、要求手段としてのステップＳ４及びステップＳ５において、記録データの形式情報（例えばデータ形式１とする）が取得され（ステップＳ４）、記録データの変換前データ形式及び変換後データ形式（再生装置１で再生可能なデータ形式、例えばデータ形式２とする。）の情報からなるデータ形式変換情報が要求情報として送受信部１１９によりサーバ２に送信され、サーバ２に対してデータ形式変換プログラム要求がなされる（ステップＳ５）。
【００７３】
サーバ２において、送受信部２１４によりデータ形式変換情報が受信されると（ステップＳ６）、提供手段としてのステップＳ７及びＳ８において、データ形式変換プログラム格納部２１３１からデータ形式変換情報に応じたデータ形式変換プログラムが検索され（ステップＳ７）、送受信部２１４により再生装置１へ送信される（ステップＳ８）。
【００７４】
再生装置１の送受信部１１９によりデータ形式変換プログラムが受信されると（ステップＳ９）、変換手段としてのステップＳ１０において、当該データ形式変換プログラムに従って、読み込まれた記録データがデータ形式１からデータ形式２に変換されバッファメモリ１１８に記憶される。そして、変換された記録データのうち画像データ、動画データが表示部１１３に出力され、音声データ、音楽データが音声出力部１１５に出力され、それぞれ再生される（ステップＳ１１）。
【００７５】
なお、上述した変換は、記録メディア３の記録データを、記録情報そのものを示す実データ部とデータ形式を規定するデータフォーマット部とに分け、データフォーマット部のみの変換を行うようにすると、高速な変換処理が可能となるので望ましい。例えば、記録データが画像データの場合、実データ部とは画素ごとの輝度値を表すデータであり、またデータフォーマット部とは画像サイズや画素の配列、１画素当りのビット数等が規定される、いわゆるヘッダー部である。このヘッダー部に、適宜情報を付加したり、或いは逆に情報を削除したりすることで記録データが再生可能となる場合には、ヘッダー部のみの変換を行うことにより、記録データ全体を変換する場合に比べて処理負荷を低減することができる。従って、データ形式変換プログラムは、データフォーマット部を変換してデータ形式を変換するプログラムであることが望ましい。
【００７６】
また、サーバ２への接続情報（ＵＲＬ等）は、記録メディア３にタグ情報として記憶し、再生装置１でこれを取得してサーバ２へアクセスするようにしてもよいし、再生装置１に予め設定しておくようにしてもよい。
【００７７】
以上説明したように、再生装置１によれば、記録メディア３から読み込まれた記録データが再生可能であるか否かが判断され、再生可能ではないと判断されると、送受信部１１９によりデータ形式変換情報がサーバ２に送信される。サーバ２からデータ形式変換プログラムが受信されると、当該データ形式変換プログラムに従って、読み込まれた記録データが再生装置１で再生不可能なデータ形式１から再生装置１で再生可能なデータ形式２に変換され、変換された記録データのうち画像データ、動画データが表示部１１３に出力され、音声データ、音楽データが音声出力部１１５に出力され、それぞれ再生される。
【００７８】
従って、どのようなデータ形式であっても、再生装置１で再生することができるようになり、利便性が向上する。
【００７９】
〔第２の実施の形態〕
次に、本発明の第２の実施の形態について説明する。
第２の実施の形態において、再生装置１の記憶部１１７には再生処理Ｂプログラムが格納されており、ＣＰＵ１１１は当該プログラムに従って、後述する再生処理Ｂを実行する。
【００８０】
また、サーバ２のＣＰＵ２１１は、再生装置１から記録データ形式情報及び再生装置機種情報を受信すると、記憶部２１３に記憶されているプログラムに従って、図５に示す再生可能データ形式参照テーブル２１３２を参照して、再生装置１で再生可能なデータ形式への変換方式を決定し、データ変換方式に応じた変換プログラムをデータ形式変換プログラム格納部２１３１から読み出して再生装置１へ送信する。
【００８１】
図６に、再生可能データ形式参照テーブル２１３２のデータ格納例を示す。図６に示すように、再生可能データ形式参照テーブル２１３２は、再生装置１の機種名を表すデータ（例えば、Ａ社ＤＶＤプレーヤー、Ｂ社ゲーム機、Ｃ社ＤＶＤプレーヤー・・・）を格納する再生装置領域２１３２ａと、再生装置１で再生可能なデータ形式のうちビデオデータの形式を表すデータ（例えば、ＤＶＤビデオ形式、ＰＤＦ方式（静止画分割）・・・）を格納するビデオデータ領域２１３２ｂと、再生装置１で再生可能なデータ形式のうち画像（静止画）データの形式を表すデータ（例えば、ＤＶＤビデオ形式（動画変換）、ＰＤＦ方式、・・・）を格納する画像データ領域２１３２ｃと、再生装置１で再生可能なデータ形式のうちオーディオデータの形式を表すデータ（例えば、ＭＰ３、ＤＶＤビデオ形式（ＭＰＥＧ２）、・・・）を格納するオーディオデータ領域２１３２ｄと、を有している。
【００８２】
再生装置１のその他の構成、サーバ２のその他の構成及び再生システム１００の構成は、上述した第１の実施の形態と同様であるので、説明を省略する。
【００８３】
次に、動作について説明する。
図７に、記録メディア３がメディア装填部に装填され、操作部１１２から記録メディア３の再生が指示された際にＣＰＵ１１１の制御により実行される再生処理Ｂ及び再生処理Ｂにおいて再生装置１とサーバ２との間で実行される通信手順を示す。
【００８４】
再生処理Ｂにおいて、記録メディア読込部１１４により記録メディア３上の記録データの読み込みが開始されると（ステップＳ２１）、判断手段としてのステップＳ２２において、読み込まれた記録データが再生可能であるか否かが判断される。当該記録データが再生可能であると判断されると（ステップＳ２２；可）、通常の再生が開始される（ステップＳ２３）。ステップＳ２２において、当該記録データが再生可能ではないと判断されると（ステップＳ２２；不可）、要求手段としてのステップＳ２４〜２７において、記録データのデータ形式情報（例えばデータ形式１とする。）が取得され（ステップＳ２４）、変換プログラムの要求情報として送受信部１１９によりサーバ２に送信される（ステップＳ２５）。続いて再生装置１の機種情報が取得され（ステップＳ２６）、要求情報としてサーバ２に送信される（ステップＳ２７）。
【００８５】
サーバ２においては、送受信部２１４により記録データ形式情報（ステップＳ２８）、及び再生装置機種情報が受信されると（ステップＳ２９）、提供手段としてのステップＳ３０及び３１において、再生可能データ形式参照テーブル２１３２が参照されることにより、再生装置１で再生可能なデータ形式が決定され（ステップＳ３０）、記録データ形式から決定されたデータ形式への変換プログラムがデータ形式変換プログラム格納部２１３１より読み出され、再生装置１へ送信される（ステップＳ３１）。
【００８６】
再生装置１の送受信部１１９によりデータ形式変換プログラムが受信されると（ステップＳ３２）、変換手段としてのステップＳ３３において、データ形式変換プログラムに従って、読み込まれた記録データがデータ形式１からデータ形式２に変換されバッファメモリ１１８に記憶される（ステップＳ３３）。そして、変換された記録データのうち画像データ、動画データが表示部１１３に出力され、音声データ、音楽データが音声出力部１１５に出力され、それぞれ再生される（ステップＳ３４）。
【００８７】
なお、上述した変換は、記録メディア３の記録データを、記録情報そのものを示す実データ部とデータ形式を規定するデータフォーマット部とに分け、データフォーマット部のみの変換を行うようにすると、高速な変換処理が可能となるので望ましい。例えば、記録データが画像データの場合、実データ部とは画素ごとの輝度値を表すデータであり、またデータフォーマット部とは画像サイズや画素の配列、１画素当りのビット数等が規定される、いわゆるヘッダー部である。このヘッダー部に、適宜情報を付加したり、或いは逆に情報を削除したりすることで記録データが再生可能となる場合には、ヘッダー部のみの変換を行うことにより、記録データ全体を変換する場合に比べて処理負荷を低減することができる。従って、データ形式変換プログラムは、データフォーマット部を変換してデータ形式を変換するプログラムであることが望ましい。
【００８８】
また、サーバ２への接続情報（ＵＲＬ等）は、記録メディア３にタグ情報として記憶し、再生装置１でこれを取得してサーバ２へアクセスするようにしてもよいし、再生装置１に予め設定しておくようにしてもよい。
【００８９】
以上説明したように、再生装置１によれば、記録メディア３から読み込まれた記録データが再生可能であるか否かが判断され、再生可能ではないと判断されると、送受信部１１９により記録データ形式情報及び再生装置機種情報がサーバ２に送信される。サーバ２おいては再生可能データ形式参照テーブル２１３２が参照され、受信された再生装置機種情報に基づいて再生可能なデータ形式が決定され、記録データから再生可能なデータ形式への変換プログラムが再生装置１に送信される。再生装置１においてサーバ２からのデータ形式変換プログラムが受信されると、当該変換プログラムが実行され記録データが再生可能な記録データに変換され、再生される。
【００９０】
従って、どのようなデータ形式であっても、再生装置１で再生することができるようになり、利便性が向上する。
【００９１】
〔第３の実施の形態〕
次に、本発明の第３の実施の形態について説明する。
第３の実施の形態において、再生装置１の記憶部１１７には再生処理Ｃプログラムが格納されており、ＣＰＵ１１１は当該プログラムに従って、後述する再生処理Ｃを実行してデータ形式変換情報及び記録データをサーバ２に送信する。サーバ２から変換された記録データを受信すると、当該記録データを再生する。
【００９２】
サーバ２のＣＰＵ２１１は、再生装置１からデータ形式変換情報及び記録データを受信すると、記憶部２１３に記憶されているプログラムに従って、データ形式変換情報に基づいて記録データ形式を変換し、再生装置１へ送信する。
【００９３】
再生装置１のその他の構成、サーバ２のその他の構成及び再生システム１００の構成は、上述した第１の実施の形態と同様であるので、説明を省略する。
【００９４】
次に、動作について説明する。
図８に、記録メディア３がメディア装填部に装填され、操作部１１２から記録メディア３の再生が指示された際にＣＰＵ１１１の制御により実行される再生処理Ｃ及び再生処理Ｃにおいて再生装置１とサーバ２との間で実行される通信手順を示す。
【００９５】
再生処理Ｃにおいて、記録メディア読込部１１４により記録メディア３上の記録データの読み込みが開始されると（ステップＳ４１）、判断手段としてのステップＳ４２において、読み込まれた記録データが再生可能であるか否かが判断される。当該記録データが再生可能であると判断されると（ステップＳ４２；可）、通常の再生が開始される（ステップＳ４３）。ステップＳ４２において、当該記録データが再生可能ではないと判断されると（ステップＳ４２；不可）、要求手段としてのステップＳ４４及び４５において、送受信部１１９により再生装置１で再生可能なデータ形式（例えば、データ形式２とする。）の情報であるデータ形式変換情報が変換要求情報としてサーバ２に送信されるとともに（ステップＳ４４）、記録メディア読込部１１４により読み込まれた記録データがサーバ２に送信される（ステップＳ４５）。
【００９６】
サーバ２の送受信部２１４により、再生装置１からデータ形式変換情報（ステップＳ４６）及び記録データが受信されると（ステップＳ４７）、変換手段としてのステップＳ４８〜５０において、記録データのデータ形式（例えば、データ形式１とする。）が取得され（ステップＳ４８）、データ形式変換情報及び記録データのデータ形式に応じた変換プログラムがデータ形式変換プログラム格納部２１３１より読み出され（ステップＳ４９）、当該変換プログラムに従って記録データがデータ形式１からデータ形式２に変換される（ステップＳ５０）。そして、提供手段としてのステップＳ５１において、変換後の記録データは、送受信部２１４を介して再生装置１に送信される。
【００９７】
再生装置１の送受信部１１９により変換後記録データが受信されると（ステップＳ５２）、バッファメモリ１１８に記憶され、記録データのうち画像データ、動画データが表示部１１３に出力され、音声データ、音楽データが音声出力部１１５に出力され、それぞれ再生される（ステップＳ５３）。
【００９８】
なお、上述した変換は、記録メディア３の記録データを、記録情報そのものを示す実データ部とデータ形式を規定するデータフォーマット部とに分け、データフォーマット部のみの変換を行うようにすると、高速な変換処理が可能となるので望ましい。例えば、記録データが画像データの場合、実データ部とは画素ごとの輝度値を表すデータであり、またデータフォーマット部とは画像サイズや画素の配列、１画素当りのビット数等が規定される、いわゆるヘッダー部である。このヘッダー部に、適宜情報を付加したり、或いは逆に情報を削除したりすることで記録データが再生可能となる場合には、ヘッダー部のみの変換や送受信を行うことにより、記録データ全体を変換したり送受信したりする場合に比べて処理負荷を低減することができる。
【００９９】
また、サーバ２への接続情報（ＵＲＬ等）は、記録メディア３にタグ情報として記憶し、再生装置１でこれを取得してサーバ２へアクセスするようにしてもよいし、再生装置１に予め設定しておくようにしてもよい。
【０１００】
以上説明したように、再生装置１によれば、記録メディア３から読み込まれた記録データが再生可能であるか否かが判断され、再生可能ではないと判断されると、送受信部１１９によりデータ形式変換情報及び記録データがサーバ２に送信される。サーバ２においては記録データが再生可能なデータ形式に変換され、再生装置１に送信される。再生装置１においてサーバ２からの再生可能な記録データが受信されると、当該記録データが再生される。
【０１０１】
従って、どのようなデータ形式であっても、再生装置１で再生することができるようになり、利便性が向上する。また、サーバ２で記録データ形式を変換するので、再生装置１の負荷を削減することができる。
【０１０２】
〔第４の実施の形態〕
次に、本発明の第４の実施の形態について説明する。
第４の実施の形態において、再生装置１の記憶部１１７には再生処理Ｄプログラムが格納されており、ＣＰＵ１１１は当該プログラムに従って、後述する再生処理Ｄを実行して再生装置機種情報及び記録データをサーバ２に送信する。サーバ２から変換された記録データを受信すると、当該記録データを再生する。
【０１０３】
サーバ２のＣＰＵ２１１は、再生装置１から再生装置機種情報及び記録データを受信すると、記憶部２１３に記憶されているプログラムに従って、データ形式変換情報に基づいて記録データ形式を変換し、再生装置１へ送信する。
【０１０４】
再生装置１のその他の構成、サーバ２のその他の構成及び再生システム１００の構成は、上述した第２の実施の形態と同様であるので、説明を省略する。
【０１０５】
次に、動作について説明する。
図９に、記録メディア３がメディア装填部に装填され、操作部１１２から記録メディア３の再生が指示された際にＣＰＵ１１１の制御により実行される再生処理Ｄ及び再生処理Ｄにおいて再生装置１とサーバ２との間で実行される通信手順を示す。
【０１０６】
再生処理Ｄにおいて、記録メディア読込部１１４により記録メディア３上の記録データの読み込みが開始されると（ステップＳ６１）、判断手段としてのステップＳ６２において、読み込まれた記録データが再生可能であるか否かが判断される。当該記録データが再生可能であると判断されると（ステップＳ６２；可）、通常の再生が開始される（ステップＳ６３）。ステップＳ６２において、当該記録データが再生可能ではないと判断されると（ステップＳ６２；不可）、要求手段としてのステップＳ６４〜６６において、再生装置機種情報が変換要求情報として取得され（ステップＳ６４）、送受信部１１９によりがサーバ２に送信されるとともに（ステップＳ６５）、記録メディア読込部１１４により読み込まれた記録データがサーバ２に送信される（ステップＳ６６）。
【０１０７】
サーバ２の送受信部２１４により、再生装置１からの再生装置機種情報（ステップＳ６７）及び記録データをが受信されると（ステップＳ６８）、変換手段としてのステップＳ６９〜７２において、記録データの記録データ形式（例えば、データ形式１とする。）が取得され（ステップＳ６９）、再生可能データ形式参照テーブル２１３２が参照されて、再生装置１で再生可能なデータ形式が決定され（ステップＳ７０）、再生可能なデータ形式及び記録データ形式に応じた変換プログラムがデータ形式変換プログラム格納部２１３１より読み出され（ステップＳ７１）、当該変換プログラムに従って記録データがデータ形式１からデータ形式２に変換される（ステップＳ７２）。そして、提供手段としてのステップＳ７３において、変換後の記録データは送受信部２１４を介して再生装置１に送信される（ステップＳ７３）。
【０１０８】
再生装置１の送受信部１１９により変換後記録データが受信されると（ステップＳ７４）、バッファメモリ１１８に記憶され、記録データのうち画像データ、動画データが表示部１１３に出力され、音声データ、音楽データが音声出力部１１５に出力され、それぞれ再生される（ステップＳ７５）。
【０１０９】
なお、上述した変換は、記録メディア３の記録データを、記録情報そのものを示す実データ部とデータ形式を規定するデータフォーマット部とに分け、データフォーマット部のみの変換を行うようにすると、高速な変換処理が可能となるので望ましい。例えば、記録データが画像データの場合、実データ部とは画素ごとの輝度値を表すデータであり、またデータフォーマット部とは画像サイズや画素の配列、１画素当りのビット数等が規定される、いわゆるヘッダー部である。このヘッダー部に、適宜情報を付加したり、或いは逆に情報を削除したりすることで記録データが再生可能となる場合には、ヘッダー部のみの変換や送受信を行うことにより、記録データ全体を変換したり送受信したりする場合に比べて処理負荷を低減することができる。
【０１１０】
また、サーバ２への接続情報（ＵＲＬ等）は、記録メディア３にタグ情報として記憶し、再生装置１でこれを取得してサーバ２へアクセスするようにしてもよいし、再生装置１に予め設定しておくようにしてもよい。
【０１１１】
以上説明したように、再生装置１によれば、記録メディア３から読み込まれた記録データが再生可能であるか否かが判断され、再生可能ではないと判断されると、送受信部１１９により再生装置機種情報及び記録データがサーバ２に送信される。サーバ２においては記録データが再生可能なデータ形式に変換され、再生装置１に送信される。再生装置１においてサーバ２からの再生可能な記録データが受信されると、当該記録データが再生される。
【０１１２】
従って、どのようなデータ形式であっても、再生装置１で再生することができるようになり、利便性が向上する。また、サーバ２で記録データ形式を変換するので、再生装置１の負荷を削減することができる。
【０１１３】
〔第５の実施の形態〕
次に、本発明の第５の実施の形態について説明する。
本第５の実施の形態において、図１０に示すように、記録メディア３は記録データ、接続先サーバ情報、変換用プログラムが記録されている。
【０１１４】
また、再生装置１の記憶部１１７には再生処理Ｅプログラムが格納されており、ＣＰＵ１１１は当該プログラムに従って、後述する再生処理Ｅを実行する。即ち、ＣＰＵ１１１は、操作部１１２からの再生指示があると、記録メディア読込部１１４により記録メディア３の読み込みを開始し、記録メディア３内の変換用プログラムを起動し、当該プログラムに従ってサーバ２にアクセスして記録データを再生可能なデータ形式に変換し、変換された記録データを再生する。
【０１１５】
再生装置１のその他の構成、サーバ２及び再生システム１００の構成は、上述した第２の実施の形態と同様であるので、説明を省略する。
【０１１６】
次に、動作について説明する。
図１１に、記録メディア３がメディア装填部に装填され、操作部１１２から記録メディア３の再生が指示された際にＣＰＵ１１１の制御により実行される再生処理Ｅ及び再生処理Ｅにおいて再生装置１とサーバ２との間で実行される通信手順を示す。
【０１１７】
再生処理Ｅにおいて、記録メディア読込部１１４により記録メディア３上の記録データの読み込みが開始され（ステップＳ８１）、記録メディア内の変換用プログラムが起動される（ステップＳ８２）。そして、当該変換用プログラムに従って変換処理が実行され（ステップＳ８３）、バッファメモリ１１８に記憶された変換後記録データが再生される（ステップＳ８４）。
【０１１８】
変換処理のステップＳ１０１において、読み込まれた記録データが再生可能であるか否かが判断される。当該記録データが再生可能であると判断されると（ステップＳ１０１；可）、通常の再生が開始される（ステップＳ１０２）。当該記録データが再生可能ではないと判断されると（ステップＳ１０２；不可）、記録メディア３に記録されている接続先サーバ情報（例えば、接続先ＵＲＬ情報）（ステップＳ１０３）、及び記録データの形式情報（例えばデータ形式１とする）が取得され（ステップＳ１０４）、記録データの変換前データ形式及び変換後データ形式（再生装置１で再生可能なデータ形式、例えばデータ形式２とする。）の情報からなるデータ形式変換情報が送受信部１１９によりサーバ２に送信され、サーバ２に対してデータ形式変換プログラム要求がなされる（ステップＳ１０５）。
【０１１９】
サーバ２の送受信部２１４によりデータ形式変換情報が受信されると（ステップＳ１０６）、ＣＰＵ２１１の制御によりデータ形式変換プログラム格納部２１３１からデータ形式変換情報に応じたデータ形式変換プログラムが検索され（ステップＳ１０７）、送受信部２１４により再生装置１へ送信される（ステップＳ１０８）。
【０１２０】
再生装置１の送受信部１１９によりデータ形式変換プログラムが受信されると（ステップＳ１０９）、データ形式変換プログラムに従って、読み込まれた記録データがデータ形式１からデータ形式２に変換されバッファメモリ１１８に記憶される（ステップＳ１１０）。
【０１２１】
上述した記録メディア３の変換用プログラムの内容は、変換処理のステップＳ１０３で接続先サーバ情報が取得された後、第１の実施の形態において説明した再生処理ＡのステップＳ４〜Ｓ１０が実行されるように記述されている。この変換用プログラムの記述内容を変更することで、記録メディア３を装填した再生装置１は異なる変換処理を実行することができる。
【０１２２】
即ち、サーバ２が第２の実施の形態における構成を備えるとき、変換用プログラムの内容が、変換処理のステップＳ１０３で接続先サーバ情報が取得された後、第２の実施の形態において説明した再生処理ＢのステップＳ２４〜Ｓ３３が実行されるように記述されることにより、記録データ形式と再生装置機種情報をサーバ２に送信し、サーバ２から受信された変換プログラムに従って記録データを変換する方法を再生装置１で実現することができる。
【０１２３】
また、サーバ２が第３の実施の形態における構成を備えるとき、変換用プログラムの内容が、変換処理のステップＳ１０３で接続先サーバ情報が取得された後、第３の実施の形態において説明した再生処理ＣのステップＳ４４〜Ｓ５２が実行されるように記述されることにより、データ形式変換情報及び記録データをサーバ２に送信し、サーバ２から変換後記録データを受信する方法を実現することができる。
【０１２４】
また、サーバ２が第４の実施の形態における構成を備えるとき、変換用プログラムの内容が、変換処理のステップＳ１０３で接続先サーバ情報が取得された後、第４の実施の形態において説明した再生処理ＤのステップＳ６４〜Ｓ７４が実行されるように記述されることにより、再生装置機種情報及び記録データをサーバ２に送信し、サーバ２から変換後記録データを受信する方法を実現することができる。
【０１２５】
また、再生装置１としては、上述したようにＤＶＤプレーヤ、ゲーム機、ＰＣ、オーディオプレーヤー等、様々な機種が適用可能であるが、再生装置１の種類によって、或いは再生装置１で使用されるＯＳ（Operating System）の種類に応じて記録メディア読込部１１４による記録メディア３の最初の読み込み領域が異なる。そのため、記録メディア３の、記録データ領域とは別の複数の領域に変換用プログラムを記録しておくようにすることが好ましい。このようにすると、複数の種類の再生装置１で、記録メディア３の再生装置１への装填を受けて自動で変換用プログラムを実行することが可能となり、手動操作などで変換用プログラムを実行する手間を不要にすることができる。また、接続先サーバ情報は、記録データに対しタグ情報のような形で添付するようにしてもよいし、変換用プログラムに埋め込むようにしてもよい。
【０１２６】
また、市販されている一般的な記録メディアには、上記変換用プログラムが記録されていないため、図１２に示すように、変換用プログラムを記録メディア３に記録するための記録装置４が再生システム１００に備えられていることが好ましい。記録装置４は、記録メディア３へのデータ記録機能を備えており、キオスク端末のように、街角等に誰でも利用可能に設置されていることが望ましく、この記録装置４により、市販の記録メディアであっても、本実施の形態における再生システム１００で利用可能となる。
【０１２７】
図１３に、記録装置４の構成例を示す。図１３に示すように、記録装置４は、ＣＰＵ４１１、入力部４１２、表示部４１３、記録部４１４、ＲＡＭ４１５、記憶部４１６、金銭管理部４１７等により構成され、各部はバス４１８により接続されている。
【０１２８】
ＣＰＵ４１１は、記憶部４１６に記憶されているシステムプログラムを読み出し、該システムプログラムに従って各部の動作を集中制御する。また、ＣＰＵ４１１は、読み出したシステムプログラムに従って、各種処理を実行する。
【０１２９】
入力部４１２は、文字／英数字入力キー、カーソルキー及び各種機能キーを備えて構成され、押下操作されたキーの押下信号を入力信号としてＣＰＵ４１１へ出力する。若しくは、入力部４１２は、表示部４１３の表示画面を覆う透明なシートパネルに、指又は専用のスタイラスぺンで触れることにより入力される位置情報を入力信号としてＣＰＵ４１１に出力する、タッチパネルにより構成される。
【０１３０】
表示部４１３は、ＬＣＤやＣＲＴ等により構成され、ＣＰＵ４１１から入力される表示信号の指示に従って、表示画面上に画像の表示を行う。
【０１３１】
記録部４１４は、図示しないメモリスロット、メディア装填部、光ピックアップ、ＤＳＰ、スピンドルモータ、送りモータ、ヘッドドライバ、記録ヘッド等により構成され、ＣＰＵ４１１から入力される制御信号に応じた磁場を記録メディアに印加して、メモリスロットに装着されたメモリから読み出されたデータや記憶部４１６から読み出された変換用プログラム４１６１等のデータを記録する。
【０１３２】
ＲＡＭ４１５は、ＣＰＵ４１１により実行制御される各種処理において、記憶部４１６から読み出された記録装置４で実行可能なシステムプログラム、制御プログラム、入力若しくは出力データ、及びパラメータ等の一時的な格納領域となる。
【０１３３】
記憶部４１６は、ＨＤＤ（Hard Disc Drive）や不揮発性の半導体メモリ等により構成され、記録装置４に対応するシステムプログラム、及び該システムプログラム上で実行可能な各種処理プログラム、及びこれらのプログラムで処理されたデータ等を記憶する。本実施の形態において、記憶部４１６は、サーバ２との通信手順を含むデータ形式変換のための変換用プログラム４１６１を記憶している。
【０１３４】
金銭管理部４１７は、図示しない金銭投入部、金銭識別部、金銭収納部、金銭出力部等を備えており、投入された硬貨や紙幣を識別して管理し、識別信号をＣＰＵ４１１に出力する。
【０１３５】
次に、動作について説明する。
図１４に、ＣＰＵ４１１の制御により実行される変換用プログラム記録処理の一例を示す。
【０１３６】
金銭が投入され（ステップＳ２０１；ＹＥＳ）、入力部４１２から変換用プログラムの記録が指示されると（ステップＳ２０２；ＹＥＳ）、金銭管理部４１７からの識別信号に基づいて正規の金額が投入されたか否かが判断される（ステップＳ２０３）。正規の金額が投入されていない場合は（ステップＳ２０３；ＮＯ）、金額の投入を促す表示が表示部４１３に表示され（ステップＳ２０４）、投入されている場合は（ステップＳ２０３；ＹＥＳ）、処理はステップＳ２０５に移行し、メディア装填部に記録メディア３が装填されているか否かが判断される。記録メディア３が装填されていない場合は（ステップＳ２０５；ＮＯ）、記録メディア３の装填を指示する表示が表示部４１３に表示され（ステップＳ２０６）、装填されている場合は、ステップＳ２０７に移行する。
【０１３７】
ステップＳ２０７においては、記憶部４１６から変換用プログラム４１６１がＲＡＭ４１５に読み出され、記録部４１４により記録メディア３に記録される（ステップＳ２０８）。
【０１３８】
なお、再生装置１としては、上述したようにＤＶＤプレーヤ、ゲーム機、ＰＣ、オーディオプレーヤー等、様々な機種が適用可能であるが、再生装置１の種類によって、或いは再生装置１で使用されるＯＳ（Operating System）の種類に応じて記録メディア読込部１１４による記録メディア３の最初の読み込み領域が異なる。そのため、記録部４１４は、記録メディア３の、記録データ領域とは別の複数の領域に変換用プログラム４１６１を記録することが好ましい。このようにすると、複数の種類の再生装置１で、記録メディア３の再生装置１への装填を受けて自動で変換用プログラム４１６１を実行することが可能となり、手動操作などで変換用プログラム４１６１を実行する手間を不要にすることができる。
【０１３９】
〔第６の実施の形態〕
次に、本発明の第６の実施の形態について説明する。
本第６の実施の形態は、図１に示す再生システム１００における課金システムであり、再生装置１はサーバ２に予め利用者情報（例えば、氏名、年齢、住所、クレジットカードｎｏ等）を送信してサーバ２に利用者登録を行い、サーバ２から利用者識別情報としての利用者ＩＤを取得している。サーバ２は、図１５（ａ）に示す、利用者ＩＤと利用者情報を対応付けて記憶する利用者ＤＢ２１３３及び図１５（ｂ）に示す、利用者毎の課金データを利用者ＩＤに対応付けて記憶する課金ファイル２１３４を記録媒体２１３ａに格納している。
【０１４０】
また、再生装置１の記憶部１１７には再生処理Ｃ２プログラムが格納されており、ＣＰＵ１１１は当該プログラムに従って、後述する再生処理Ｃ２を実行して利用者ＩＤ、データ形式変換情報、記録データをサーバ２に送信する。サーバ２から変換された記録データを受信すると、当該記録データを再生する。
【０１４１】
サーバ２のＣＰＵ２１１は、再生装置１から利用者ＩＤを受信すると、記憶部２１３に記憶されているプログラムに従って、認証を行い、更にデータ形式変換情報、記録データを受信すると、データ形式変換情報に応じた変換プログラムをデータ形式変換プログラム格納部２１３１から検索し、当該プログラムに従って記録データを変換して再生装置１へ送信し、再生装置１の利用者に対する課金を実行する。
【０１４２】
再生装置１のその他の構成、サーバ２及び再生システム１００の構成は、上述した第３の実施の形態と同様であるので、説明を省略する。
【０１４３】
図１６に、記録メディア３がメディア装填部に装填され、操作部１１２から記録メディア３の再生が指示された際にＣＰＵ１１１の制御により実行される再生処理Ｃ２及び再生処理Ｃ２において再生装置１とサーバ２との間で実行される通信手順を示す。
【０１４４】
記録メディア読込部１１４により記録メディア３上の記録データの読み込みが開始されると（ステップＳ１２１）、判断手段としてのステップＳ１２２において、読み込まれた記録データが再生可能であるか否かが判断される。当該記録データが再生可能であると判断されると（ステップＳ１２２；可）、通常の再生が開始される（ステップＳ１２３）。ステップＳ１２２において、当該記録データが再生可能ではないと判断されると（ステップＳ１２２；不可）、要求手段としてのステップＳ１２４、１２６、１２７が実行される。
【０１４５】
即ち、サーバ２に対して送受信部１１９により利用者ＩＤが送信されると（ステップＳ１２４）、サーバ２において、送受信部２１４により利用者ＩＤが受信されると、利用者ＩＤの認証が行われる（ステップＳ１２５）。サーバ２により利用者ＩＤが認証されると、再生装置１において、送受信部１１９により再生装置１で再生可能なデータ形式（例えば、データ形式２とする。）の情報であるデータ形式変換情報が変換要求情報としてサーバ２に送信される（ステップＳ１２６）。続いて記録メディア読込部１１４により読み込まれた記録データがサーバ２に送信される（ステップＳ１２７）。
【０１４６】
サーバ２の送受信部２１４により、再生装置１からデータ形式変換情報（ステップＳ１２８）及び記録データが受信されると（ステップＳ１２９）、変換手段としてのステップＳ１３０〜１３２において、記録データの記録データ形式（例えば、データ形式１とする。）が取得され（ステップＳ１３０）、データ形式変換情報及び記録データ形式に応じた変換プログラムがデータ形式変換プログラム格納部２１３１より読み出され（ステップＳ１３１）、当該変換プログラムに従って記録データがデータ形式１からデータ形式２に変換される（ステップＳ１３２）。提供手段としてのステップＳ１３３において、変換後の記録データは送受信部２１４を介して再生装置１に送信される（ステップＳ１３３）。そして、課金処理手段としてのステップＳ１３４において、利用者ＩＤに対しての課金処理が実行され、課金データが課金ファイル２１３４に記憶される（ステップＳ１３４）。
【０１４７】
再生装置１の送受信部１１９により変換後記録データが受信されると（ステップＳ１３５）、変換後記録データはバッファメモリ１１８に記憶され、記録データのうち画像データ、動画データが表示部１１３に出力され、音声データ、音楽データが音声出力部１１５に出力され、それぞれ再生される（ステップＳ１３６）。
【０１４８】
以上説明したように、再生装置１によれば、記録メディア３から読み込まれた記録データが再生可能であるか否かが判断され、再生可能ではないと判断されると、送受信部１１９により利用者ＩＤ、データ形式変換情報及び記録データがサーバ２に送信される。サーバ２においては利用者ＩＤの認証が行われ、記録データがデータ形式変換情報に基づいて変換され、変換後記録データが送受信部２１４により再生装置１へ送信されるとともに、当該利用者ＩＤに対しての課金処理が実行される。再生装置１においては、変換後記録データが受信されると、変換後記録データのうち画像データ、動画データが表示部１１３に出力され、音声データ、音楽データが音声出力部１１５に出力され、それぞれ再生される。
【０１４９】
従って、サーバ２におけるデータ形式変換サービスを受けた利用者に対して課金を行うことができ、データ形式変換サービスをビジネスとして展開できるようになる。
【０１５０】
なお、上記第６の実施の形態においては、第３の実施の形態の構成の再生システム１００において再生装置１の利用者に対して課金を行う課金システムとして説明したが、上述した第１〜５の実施の形態の再生システム１００についても、再生装置１の利用者に対して課金を行う課金システムとして適用することができる。いずれの実施の形態においても、再生装置１はサーバ２に予め利用者情報（例えば、氏名、年齢、住所、クレジットカードｎｏ等）を送信してサーバ２に利用者登録を行い、サーバ２から利用者ＩＤを取得している。サーバ２は、図１５（ａ）に示す、利用者ＩＤと利用者情報を対応付けて記憶する利用者ＤＢ２１３３及び図１５（ｂ）に示す、利用者毎の課金データを利用者ＩＤに対応付けて記憶する課金ファイル２１３４を記録媒体２１３ａに格納している。そして、サーバ２と通信を開始する際には、再生装置１から利用者ＩＤがサーバ２に対して送信され、サーバ２から変換プログラム又は変換後記録データが送信される際には、利用者ＩＤに対する課金が行われ、課金データが課金ファイル２１３４に保存される。
【０１５１】
〔第７の実施の形態〕
次に、本発明の第７の実施の形態について説明する。
図１７に示すように、本第７の実施の形態における再生システム２００は、再生装置１、記録メディア３、データ変換メモリ５により構成されている。
【０１５２】
再生装置１は、図１８に示すように、図２で説明した構成にメモリＩ／Ｆ１２１を追加した構成となっている。メモリＩ／Ｆ１２１は、データ変換メモリ５とデータの入出力を行うためのＩ／Ｆである。また、記憶部１１７には、再生処理Ｆプログラムが記憶されている。なお、送受信部１１９は必ずしも必要な構成ではない。
【０１５３】
データ変換メモリ５は、フラッシュメモリ、ＣＤ−ＲＯＭ等の不揮発性メモリであり、各種変換前の記録データと変換後データに対応する各種データ形式変換プログラムが格納されている。
【０１５４】
次に、動作について説明する。
図１９に、データ変換メモリ５が再生装置１に装着された状態で記録メディア３の再生が指示された際にＣＰＵ１１１により実行される再生処理Ｆの一例を示す。
【０１５５】
再生処理Ｆにおいて、記録メディア読込部１１４により記録メディア３上の記録データの読み込みが開始されると（ステップＳ１４１）、判断手段としてのステップＳ１４２において、読み込まれた記録データが再生可能であるか否かが判断される。当該記録データが再生可能であると判断されると（ステップＳ１４２；可）、通常の再生が開始される（ステップＳ１４３）。ステップＳ１４２において、当該記録データが再生可能ではないと判断されると（ステップＳ１４２；不可）、変換手段としてのステップＳ１４４及び１４５において、メモリＩ／Ｆ１２１を介して、データ変換メモリ５に記録されているデータ形式変換プログラムの中から、当該記録データを再生装置１で再生可能なデータ形式に変換するためのプログラムが選択され、ＲＡＭ１１６に読み出され（ステップＳ１４４）、読み出されたデータ形式変換プログラムに従って、読み込まれた記録データが再生可能なデータ形式に変換されバッファメモリ１１８に記憶される（ステップＳ１４５）。そして、変換された記録データのうち画像データ、動画データが表示部１１３に出力され、音声データ、音楽データが音声出力部１１５に出力され、それぞれ再生される（ステップＳ１４６）。
【０１５６】
なお、上述した変換は、記録メディア３の記録データを、記録情報そのものを示す実データ部とデータ形式を規定するデータフォーマット部とに分け、データフォーマット部のみの変換を行うようにすると、高速な変換処理が可能となるので望ましい。例えば、記録データが画像データの場合、実データ部とは画素ごとの輝度値を表すデータであり、またデータフォーマット部とは画像サイズや画素の配列、１画素当りのビット数等が規定される、いわゆるヘッダー部である。このヘッダー部に、適宜情報を付加したり、或いは逆に情報を削除したりすることで記録データが再生可能となる場合には、ヘッダー部のみの変換を行うことにより、記録データ全体を変換する場合に比べて処理負荷を低減することができる。従って、データ形式変換プログラムは、データフォーマット部を変換してデータ形式を変換するプログラムであることが望ましい。
【０１５７】
以上説明したように、再生装置１によれば、記録メディア３から読み込まれた記録データが再生可能であるか否かが判断され、再生可能ではないと判断されると、データ変換メモリ５から当該記録データを再生可能なデータ形式に変換するためのデータ形式変換プログラムが選択されてＲＡＭ１１６に読み出される。そして、読み出されたデータ形式変換プログラムに従って、記録データが再生可能なデータ形式に変換され、変換された記録データのうち画像データ、動画データが表示部１１３に出力され、音声データ、音楽データが音声出力部１１５に出力され、それぞれ再生される。
【０１５８】
従って、データ変換メモリ４を装着することにより、どのようなデータ形式であっても、再生装置１で再生することができるようになり、利便性が向上する。
【０１５９】
〔第８の実施の形態〕
次に、本発明の第８の実施の形態について説明する。
図２０に示すように、本第８の実施の形態における再生システム３００は、再生装置１、記録メディア３、データ変換装置６により構成されている。再生装置１は、データ通信ケーブルＬを介してデータ変換装置６に接続されている。
【０１６０】
再生装置１は、図１８で説明した構成に対して、メモリＩ／Ｆ１２１ではなくＵＳＢ等のデータ通信ケーブルを接続するためのＩ／Ｆ１２２を備えた構成となっている。また、記憶部１１７には再生処理Ｇプログラムが格納されており、ＣＰＵ１１１は、これを読み出して後述する再生処理Ｇを実行する。
【０１６１】
データ変換装置６は、図２１に示すように、ＣＰＵ６１１、ＲＡＭ６１２、記憶部６１３、Ｉ／Ｆ６１４を備えて構成され、各部はバス６１５により接続されている。
【０１６２】
ＣＰＵ６１１は、記憶部６１３に記憶されているシステムプログラムを読み出し、該システムプログラムに従って各部の動作を集中制御する。また、ＣＰＵ６１１は、読み出したシステムプログラムに従って、各種処理を実行する。
【０１６３】
ＲＡＭ６１２は、ＣＰＵ６１１により実行制御される各種処理において、記憶部６１３から読み出された管理サーバ２で実行可能なシステムプログラム、制御プログラム、入力若しくは出力データ、及びパラメータ等の一時的な格納領域となる。
【０１６４】
記憶部６１３は、ＨＤＤ（Hard Disc Drive）や不揮発性の半導体メモリ等により構成され、データ変換装置６に対応するシステムプログラム、及び該システムプログラム上で実行可能な各種処理プログラム、及びこれらのプログラムで処理されたデータ等を記憶する。
【０１６５】
本実施の形態において、記憶部６１３は、内部にデータ形式変換プログラム格納部６１３１を有して構成される。データ形式変換プログラム格納部６１３１には、例えばデータ形式１→データ形式２変換プログラム、データ形式１→データ形式３変換プログラムのように、変換が可能な各種データ形式間の変換プログラムが記憶されている。
【０１６６】
Ｉ／Ｆ６１４は、ＵＳＢケーブル等のデータ通信ケーブルを接続するためのインターフェースである。
【０１６７】
次に、動作について説明する。
図２２に、データ通信ケーブル等を介してデータ変換装置６が再生装置１に接続された状態で記録メディア３の再生が指示された際にＣＰＵ１１１により実行される再生処理Ｇの一例を示す。
【０１６８】
記録メディア読込部１１４により記録メディア３上の記録データの読み込みが開始されると（ステップＳ１５１）、判断手段としてのステップＳ１５２において、読み込まれた記録データが再生可能であるか否かが判断される。当該記録データが再生可能であると判断されると（ステップＳ１５２；可）、通常の再生が開始される（ステップＳ１５３）。ステップＳ１５２において、当該記録データが再生可能ではないと判断されると（ステップＳ１５２；不可）、要求手段としてのステップＳ１５４及び１５５において、Ｉ／Ｆ１２２を介して再生装置１で再生可能なデータ形式（例えば、データ形式２とする。）の情報であるデータ形式変換情報が変換要求情報としてデータ変換装置６に出力され（ステップＳ１５４）、記録メディア読込部１１４により読み込まれた記録データがデータ変換装置６に出力される（ステップＳ１５５）。
【０１６９】
データ変換装置６において、Ｉ／Ｆ６１４を介して再生装置１からデータ形式変換情報（ステップＳ１５６）及び記録データが入力されると（ステップＳ１５７）、変換手段としてのステップＳ１５８〜１６０において、記録データの記録データ形式（例えば、データ形式１とする。）が取得され（ステップＳ１５８）、データ形式変換情報及び記録データ形式に応じた変換プログラムがデータ形式変換プログラム格納部６１３１より読み出され（ステップＳ１５９）、当該変換プログラムに従って記録データがデータ形式１からデータ形式２に変換される（ステップＳ１６０）。そして、提供手段としてのステップＳ１６１において、変換後の記録データはＩ／Ｆ６１４を介して再生装置１に出力される（ステップＳ１６１）。
【０１７０】
再生装置１のＩ／Ｆ１２２により変換後記録データが入力されると（ステップＳ１６２）、バッファメモリ１１８に記憶され、記録データのうち画像データ、動画データが表示部１１３に出力され、音声データ、音楽データが音声出力部１１５に出力され、それぞれ再生される（ステップＳ１６３）。
【０１７１】
なお、上述した変換は、記録メディア３の記録データを、記録情報そのものを示す実データ部とデータ形式を規定するデータフォーマット部とに分け、データフォーマット部のみの変換を行うようにすると、高速な変換処理が可能となるので望ましい。例えば、記録データが画像データの場合、実データ部とは画素ごとの輝度値を表すデータであり、またデータフォーマット部とは画像サイズや画素の配列、１画素当りのビット数等が規定される、いわゆるヘッダー部である。このヘッダー部に、適宜情報を付加したり、或いは逆に情報を削除したりすることで記録データが再生可能となる場合には、ヘッダー部のみをデータ変換装置６へ出力し、ヘッダー部のみのデータ変換を行うことにより、記録データ全体をデータ変換装置６へ出力して変換する場合に比べて処理負荷を低減することができる。
【０１７２】
以上説明したように、再生装置１によれば、記録メディア３から読み込まれた記録データが再生可能であるか否かが判断され、再生可能ではないと判断されると、送受信部１１９によりデータ形式変換情報及び記録データがデータ変換装置６に出力される。データ変換装置６においては記録データが再生可能なデータ形式に変換され、再生装置１に送信される。再生装置１においてデータ変換装置６からの再生可能な記録データが受信されると、当該記録データが再生される。
【０１７３】
従って、再生装置１をデータ変換装置６に接続することで、どのようなデータ形式であっても再生装置１で再生することができるようになり、利便性が向上する。また、データ変換装置６で記録データ形式を変換するので、再生装置１の負荷を削減することができる。
【０１７４】
なお、本実施の形態においては、再生装置１からデータ形式変換情報をデータ変換装置６に出力し、これに基づいてデータ変換装置６が記録データを変換したが、これに限定されない。例えば、記憶部６１３が図６に示したのと同様の再生可能データ形式参照テーブルを有する構成とし、再生装置１から再生装置機種情報を出力し、データ変換装置６が再生可能データ形式参照テーブルを参照することにより再生装置１の機種に応じたデータ形式情報を取得し、これに応じたデータ変換プログラムを読み出して記録データの変換を行うようにしてもよい。また、記憶部６１３に記憶されているデータ形式変換プログラムを再生装置１に出力し、再生装置１で変換を行うようにしてもよい。
【０１７５】
以上、本発明の第１〜８の実施の形態について説明したが、これらの記述内容は、再生システム１００〜３００の好適な一例であり、これに限定されるものではない。
例えば、上記実施の形態においては、記録メディアに記録されているデータを再生可能なデータ形式に変換することとして説明したが、インターネットＳを介して配信されたデータの形式を変換するようにしてもよい。
【０１７６】
その他、再生システム１００〜３００を構成する各装置における細部構成及び細部動作に関しても、本発明の趣旨を逸脱することのない範囲で適宜変更可能である。
【０１７７】
【発明の効果】
請求項１〜３８に記載の発明によれば、再生装置で再生不可能な記録メディアの記録データを再生可能なデータ形式に変換するための再生システム、この再生システムで用いるサーバ、再生装置、プログラム、記録メディア、記録装置を提供するので、再生装置において、どのようなデータ形式の記録データであっても再生することが可能となる。
【図面の簡単な説明】
【図１】本発明に係る再生システム１００の全体構成を概念的に示す図である。
【図２】図１の再生装置１の機能的構成を示すブロック図である。
【図３】図１のサーバ２の機能的構成を示すブロック図である。
【図４】図２のＣＰＵ１１１により実行される再生処理Ａ及び再生処理Ａにおいて再生装置１とサーバ２との間で実行される通信手順を示す図である。
【図５】本発明の第２、４の実施の形態における記録媒体２１３ａのデータ格納例を示す図である。
【図６】図５の再生可能データ形式参照テーブル２１３２のデータ格納例を示す図である。
【図７】図２のＣＰＵ１１１により実行される再生処理Ｂ及び再生処理Ｂにおいて再生装置１とサーバ２との間で実行される通信手順を示す図である。
【図８】図２のＣＰＵ１１１により実行される再生処理Ｃ及び再生処理Ｃにおいて再生装置１とサーバ２との間で実行される通信手順を示す図である。
【図９】図２のＣＰＵ１１１の制御により実行される再生処理Ｄ及び再生処理Ｄにおいて再生装置１とサーバ２との間で実行される通信手順を示す図である。
【図１０】本発明の第５の実施の形態における記録メディア３のデータ格納例を示す図である。
【図１１】図２のＣＰＵ１１１の制御により実行される再生処理Ｅ及び再生処理Ｅにおいて再生装置１とサーバ２との間で実行される通信手順を示す図である。
【図１２】記録装置４を備えた再生システム１００の全体構成を示す図である。
【図１３】図１２の記録装置４の機能的構成を示すブロック図である。
【図１４】図１３のＣＰＵ４１１の制御により実行される変換用プログラム記録処理を示す図である。
【図１５】利用者ＤＢ２１３３及び課金ファイル２１３４のデータ格納例を示す図である。
【図１６】図２のＣＰＵ１１１の制御により実行される再生処理Ｃ２及び再生処理Ｃ２において再生装置１とサーバ２との間で実行される通信手順を示す図である。
【図１７】本発明の第７の実施の形態における再生システム２００の全体構成を示す図である。
【図１８】本発明の第７の実施の形態における再生装置１の機能的構成を示すブロック図である。
【図１９】図１８のＣＰＵ１１１により実行される再生処理Ｆの一例を示す図である。
【図２０】本発明の第８の実施の形態における再生システム３００の全体構成を示す図である。
【図２１】図２０のデータ変換装置６の機能的構成を示すブロック図である。
【図２２】図１８のＣＰＵ１１１により実行される再生処理Ｇの一例を示す図である。
【符号の説明】
１００〜３００    再生システム
１    再生装置
１１１    ＣＰＵ
１１２    操作部
１１３    表示部
１１４    記録メディア読込部
１１５    音声出力部
１１６    ＲＡＭ
１１７    記憶部
１１８    バッファメモリ
１１９    送受信部
１２０    バス
１２１    メモリＩ／Ｆ
１２２    Ｉ／Ｆ
２    サーバ
２１１    ＣＰＵ
２１２    ＲＡＭ
２１３    記憶部
２１３ａ    記録媒体
２１３１    データ形式変換プログラム格納部
２１３２    再生可能データ形式参照テーブル
２１４    送受信部
２１５    バス
３    記録メディア
４    記録装置
４１１    ＣＰＵ
４１２    入力部
４１３    表示部
４１４    記録部
４１５    ＲＡＭ
４１６    記憶部
４１６１    変換用プログラム
４１７    金銭管理部
４１８    バス
５    データ変換メモリ
６    データ変換装置
６１１    ＣＰＵ
６１２    ＲＡＭ
６１３    記憶部
６１３１    データ形式変換プログラム格納部
６１４    Ｉ／Ｆ
６１５    バス
【図１】
2004208057.tif 000003
【図２】
2004208057.tif 000004
【図３】
2004208057.tif 000005
【図４】
2004208057.tif 000006
【図５】
2004208057.tif 000007
【図６】
2004208057.tif 000008
【図７】
2004208057.tif 000009
【図８】
2004208057.tif 000010
【図９】
2004208057.tif 000011
【図１０】
2004208057.tif 000012
【図１１】
2004208057.tif 000013
【図１２】
2004208057.tif 000014
【図１３】
2004208057.tif 000015
【図１４】
2004208057.tif 000016
【図１５】
2004208057.tif 000017
【図１６】
2004208057.tif 000018
【図１７】
2004208057.tif 000019
【図１８】
2004208057.tif 000020
【図１９】
2004208057.tif 000021
【図２０】
2004208057.tif 000022
【図２１】
2004208057.tif 000023
【図２２】
2004208057.tif 000024